【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
光起電デバイスを管理する方法であって、
電圧信号の第１の構成要素であって、前記光起電デバイスにわたり外部電場を生成するオン状態を表す第１の構成要素を該光起電デバイスに印加するステップと、
前記電圧信号の第２の構成要素であって、オフサイクルを表す第２の構成要素を前記光起電デバイスに印加するステップと
を有してなる、方法。
【請求項２】
前記第１の構成要素を印加するステップは、電圧パルサ回路から高電圧の時変電圧パルスを印加するステップを含み、前記第２の構成要素を印加するステップは、前記電圧パルサ回路を遮断するステップを含む、請求項１に記載の方法。
【請求項３】
前記第１の構成要素を印加するステップは、電圧源及び前記光起電デバイスを前記電圧源と前記光起電デバイスとの間に配置されるスイッチの第１の位置において接続するステップを含み、前記第２の構成要素を印加するステップは、前記スイッチの第２の位置において前記電圧源及び前記光起電デバイスを切断して、前記スイッチが前記第２の位置にあるとき、前記電圧源と前記光起電デバイスによって駆動される負荷との間に電気的絶縁を任意選択的に提供するステップを含む、請求項１又は２に記載の方法。
【請求項４】
前記第１の構成要素を印加するステップは、前記電圧パルサ回路の切り換えトランジスタが、前記第１の構成要素を生成するオン位置にあるとき、前記電圧パルサ回路の高電圧源の出力を前記光起電デバイスに印加するステップと、前記電圧パルサ回路のパルス生成器が前記切り換えトランジスタを、前記第２の構成要素を生成するオフ位置にするまで、前記高電圧源の前記出力を印加するステップを任意選択的に継続するステップとを含む、請求項１又は２に記載の方法。
【請求項５】
前記第１の構成要素を印加するステップは、第１の方向又は第２の方向を有する外部電場を生成するステップを含み、前記第１の方向及び前記光起電デバイスの内部電極の極性は、同じ方向にあり、前記光起電デバイスの電力出力を増大させ、前記第２の方向は前記内部電極の前記極性とは逆の方向にあり、前記電力出力を低減する、請求項１〜４の何れか一項に記載の方法。
【請求項６】
前記光起電デバイスの出力電圧をモニタするステップであって、前記光起電デバイスにわたり結合された電圧プローブを介して任意選択的に実行される、出力電圧をモニタするステップ、又は前記光起電デバイスの出力電流をモニタするステップであって、前記光起電デバイスと前記光起電デバイスによって駆動される負荷との間に直列結合される電流センサを介して任意選択的に実行される、出力電流をモニタするステップを更に含む、請求項１〜５の何れか一項に記載の方法。
【請求項７】
前記モニタリングに基づいて、前記第１の構成要素の大きさ、持続時間、及び周波数のうちの少なくとも１つを調整し、それにより、前記光起電デバイスの電力出力を最大にする、調整するステップを更に含み、前記調整するステップは任意選択的に、前記電圧源に結合される制御回路を介して実行される、請求項６に記載の方法。
【請求項８】
前記第１の構成要素を印加するステップは、太陽電池、太陽電池のアレイ、太陽パネル、及び太陽パネルのアレイのうちの少なくとも１つにわたり前記外部電場を生成するステップを含む、請求項１〜７の何れか一項に記載の方法。
【請求項９】
光起電デバイスを管理する方法であって、
電圧パルサを前記光起電デバイスに結合できるようにするステップと、
前記電圧パルサによって生成される電圧信号であって、前記光起電デバイスにわたり外部電場を生成する第１の状態と、オフサイクルを表す第２の状態とを有する電圧信号を前記光起電デバイスに印加するステップと
を有してなる、方法。
【請求項１０】
前記電圧信号を印加するステップは、
調整可能な電圧を前記光起電デバイスに印加するステップと、
前記電圧パルサの切り換えトランジスタが、第１の状態を生成するオン位置にあるとき、任意選択的に前記電圧パルサの高電圧源の出力を前記光起電デバイスに印加し、前記電圧パルサのパルス生成器が、前記切り換えトランジスタを、前記第２の状態を生成するオフ位置にするまで、前記高電圧源の前記出力を印加することを任意選択的に継続するステップと
を含む、請求項９に記載の方法。
【請求項１１】
前記負荷への前記電圧信号の遮断周波数が所定の周波数よりも高い場合、１つ又は複数の直列インダクタを前記電圧パルサと前記光起電デバイスの負荷との間に結合できるようにするステップを更に含む、請求項９又は１０に記載の方法。
【請求項１２】
前記電圧パルサに結合される制御回路を介して、前記第１の状態及び前記第２の状態の周波数及び持続時間のうちの少なくとも一方を制御するステップを更に含む、請求項９〜１１の何れか一項に記載の方法。
【請求項１３】
前記光起電デバイスにわたる前記外部電場の印可は前記光起電デバイスの電力出力および／または電流出力を増大させる、請求項１〜８の何れか一項に記載の方法。
【請求項１４】
前記光起電デバイスにわたる前記外部電場の前記印可は、低光状況下において、前記光起電デバイスの電力出力および／または電流出力を５０％まで増大させる、請求項１３に記載の方法。
【請求項１５】
前記光起電デバイスにわたる前記外部電場の前記印可は、低光状況下において、前記光起電デバイスの電力出力および／または電流出力を５０％を超えて増大させる、請求項１３に記載の方法。
【請求項１６】
前記光起電デバイスにわたる前記外部電場の前記印可は、高強度光状況下において、前記光起電デバイスの電力出力および／または電流出力を２０％まで増大させる、請求項１３〜１５の何れか一項に記載の方法。
【請求項１７】
前記光起電デバイスにわたる前記外部電場の前記印可は、前記光起電デバイスの電力出力および／または電流出力を２０％から５０％の範囲で増大させる、請求項１３〜１６の何れか一項に記載の方法。
【請求項１８】
前記光起電デバイスにわたる前記外部電場の前記印可は、前記光起電デバイスの電力出力および／または電流出力を５０％を超えて増大させる、請求項１３〜１６の何れか一項に記載の方法。
【請求項１９】
前記出力電圧および／または電流出力の増大は前記光起電デバイスへの入射光の強度、光起電デバイスへ印可された電圧信号、前記光起電デバイスの厚み、前記電圧パルスのパルス幅、および／または前記電圧パルスの周期に基づく、請求項１３〜１８の何れか一項に記載の方法。
【請求項２０】
前記光起電デバイスにわたる前記外部電場の印可は前記光起電デバイスの電力出力および／または電流出力を増大させる、請求項９〜１２の何れか一項に記載の方法。
【請求項２１】
前記光起電デバイスにわたる前記外部電場の前記印可は、低光状況下において、前記光起電デバイスの電力出力および／または電流出力を５０％まで増大させる、請求項２０に記載の方法。
【請求項２２】
前記光起電デバイスにわたる前記外部電場の前記印可は、低光状況下において、前記光起電デバイスの電力出力および／または電流出力を５０％を超えて増大させる、請求項２０に記載の方法。
【請求項２３】
前記光起電デバイスにわたる前記外部電場の前記印可は、高強度光状況下において、前記光起電デバイスの電力出力および／または電流出力を２０％まで増大させる、請求項２０〜２２の何れか一項に記載の方法。
【請求項２４】
前記光起電デバイスにわたる前記外部電場の前記印可は、前記光起電デバイスの電力出力および／または電流出力を２０％から５０％の範囲で増大させる、請求項２０〜２３の何れか一項に記載の方法。
【請求項２５】
前記光起電デバイスにわたる前記外部電場の前記印可は、前記光起電デバイスの電力出力および／または電流出力を５０％を超えて増大させる、請求項２０〜２３の何れか一項に記載の方法。
【請求項２６】
前記出力電圧および／または電流出力の増大は、前記光起電デバイスへの入射光の強度、光起電デバイスへ印可された電圧信号、前記光起電デバイスの厚み、前記電圧パルスのパルス幅、および／または前記電圧パルスの周期に基づく、請求項２０〜２５の何れか一項に記載の方法。